(57)【要約】      （修正有）【課題】どの通知イベントが発生したのかをユーザーが体性感覚で判別する情報通知装置を提供する。【解決手段】情報通知装置１は、複数の異なる位置に配置された体性感覚発生部４０−１〜Ｎを有し、発生した通知イベントに対応付けられた体性感覚発生部から、複数の刺激パターン（刺激の種類、強さ、タイミング）の組み合わせにもとづいて、複数の体性感覚を生じさせる刺激を起こす。【選択図】図１
2016085610.tif 000002
【特許請求の範囲】
【請求項１】
体性感覚を生じさせる刺激を起こす体性感覚発生部が複数配置された通知部と、
第１の通知を行うときと第２の通知を行うときで、互いに異なる位置に配置された前記体性感覚発生部の組合せが起こす刺激のパターンを異ならせる管理部と、
を備えることを特徴とする情報通知装置。
【請求項２】
前記通知部には、第１の前記体性感覚発生部と第２の前記体性感覚発生部が互いに異なる位置に配置され、
前記管理部は少なくともある時点において、
前記第１の通知を行うとき、前記第１の体性感覚発生部に刺激を起こさせ、前記第２の体性感覚発生部に刺激を起こさせず、
前記第２の通知を行うとき、前記第２の体性感覚発生部に刺激を起こさせる
ことを特徴とする請求項１に記載の情報通知装置。
【請求項３】
前記管理部は、前記第１の通知を行うときと前記第２の通知を行うときで、前記第１の体性感覚発生部に刺激を起こさせるタイミングと前記第２の体性感覚発生部に刺激を起こさせるタイミングの組合せのパターンを異ならせることを特徴とする請求項２に記載の情報通知装置。
【請求項４】
前記通知部には、第１の前記体性感覚発生部と第２の前記体性感覚発生部が互いに異なる位置に配置され、
前記管理部は、前記第１の通知を行うときと前記第２の通知を行うときで、前記第１の体性感覚発生部に起こさせる刺激の強さと前記第２の体性感覚発生部に起こさせる刺激の強さの組合せのパターンを異ならせることを特徴とする請求項１から３のいずれか一項に記載の情報通知装置。
【請求項５】
前記通知部には、第１の前記体性感覚発生部と第２の前記体性感覚発生部が互いに異なる位置に配置され、
前記第１の体性感覚発生部は、第１の体性感覚を生じさせる刺激を起こし、
前記第２の体性感覚発生部は、前記第１の体性感覚とは異なる第２の体性感覚を生じさせる刺激を起こすことを特徴とする請求項１から請求項４のいずれか一項に記載の情報通知装置。
【発明の詳細な説明】
【技術分野】
【０００１】
本発明は、情報通知装置に関する。
【背景技術】
【０００２】
昨今、携帯型情報端末、例えばスマートフォンは、生活に欠かせないものとなり、スマートフォンを肌身離さず持ち歩く人も多い。例えば、電車内や映画館内では、大きな音を鳴らせない場面であるので、マナーモードのように、音を立てずにスマートフォンの振動でユーザーに通知をする通知機能が必要不可欠となっている。さらに最近の携帯型情報端末は、スマートフォンをはじめ、急速に多機能化が進んでいる。例えば携帯型情報端末では、電話の着信や電子メールの受信のみならず、様々なアプリケーションやコンテンツからユーザーに通知をするイベント（通知イベント）が発生する。通知イベントが発生するアプリケーションとしては、例えば、ＬＩＮＥ（登録商標）のようなメッセンジャーアプリや、ＴｏＤｏリストのようなスケジューリングアプリ、また、体感型のゲームアプリ等がある。
このように、携帯型情報端末では、通知イベントの発生が増加している。
【０００３】
しかしながら、現在の携帯型情報端末等が有する通知機能のうち、体性感覚を生じさせる刺激による通知機能は、単純な機能であって、長い振動と短い振動を出し分ける程度の機能である。
例えば、特許文献１では、携帯型情報端末は、画面に複数のアプリケーションが表示されている場合において、コンテンツやデータの操作が可能な（アクティブな）状態が、あるアプリケーションから別のアプリケーションへ切り替わったことを、振動によってユーザーに通知する。
【先行技術文献】
【特許文献】
【０００４】
【特許文献１】特開２００６−５９１１７号公報
【発明の概要】
【発明が解決しようとする課題】
【０００５】
しかしながら、特許文献１には、振動部１２の振動を利用するとの記載があるに過ぎない。そのため、携帯型情報端末は、どの通知イベントが発生したのかをユーザーに判別させることができない。つまり、特許文献１の技術では、携帯型情報端末は、どのアプリケーションからどのアプリケーションへアクティブな状態が切り替わったのかをユーザーに判別させることができない。
このように、携帯型情報端末は、どの通知イベントが発生したのかをユーザーに判別させることができない、という欠点がある。
【課題を解決するための手段】
【０００６】
（１）本発明は上記の課題を解決するためになされたものであり、本発明の一態様は、体性感覚を生じさせる刺激を起こす体性感覚発生部が複数配置された通知部と、第１の通知を行うときと第２の通知を行うときで、互いに異なる位置に配置された前記体性感覚発生部の組合せが起こす刺激のパターンを異ならせる管理部と、を備えることを特徴とする情報通知装置である。
【０００７】
（２）また、本発明の一態様は、（１）に記載の情報通知装置であって、前記通知部には、第１の前記体性感覚発生部と第２の前記体性感覚発生部が互いに異なる位置に配置され、前記管理部は少なくともある時点において、前記第１の通知を行うとき、前記第１の体性感覚発生部に刺激を起こさせ、前記第２の体性感覚発生部に刺激を起こさせず、前記第２の通知を行うとき、前記第２の体性感覚発生部に刺激を起こさせることを特徴とする。
【０００８】
（３）また、本発明の一態様は、（２）に記載の情報通知装置であって、前記管理部は、前記第１の通知を行うときと前記第２の通知を行うときで、前記第１の体性感覚発生部に刺激を起こさせるタイミングと前記第２の体性感覚発生部に刺激を起こさせるタイミングの組合せのパターンを異ならせることを特徴とする。
【０００９】
（４）また、本発明の一態様は、（１）から（３）のいずれか一項に記載の情報通知装置であって、前記通知部には、第１の前記体性感覚発生部と第２の前記体性感覚発生部が互いに異なる位置に配置され、前記管理部は、前記第１の通知を行うときと前記第２の通知を行うときで、前記第１の体性感覚発生部に起こさせる刺激の強さと前記第２の体性感覚発生部に起こさせる刺激の強さの組合せのパターンを異ならせることを特徴とする。
【００１０】
（５）また、本発明の一態様は、（１）から（４）のいずれか一項に記載の情報通知装置であって、前記通知部には、第１の前記体性感覚発生部と第２の前記体性感覚発生部が互いに異なる位置に配置され、前記第１の体性感覚発生部は、第１の体性感覚を生じさせる刺激を起こし、前記第２の体性感覚発生部は、前記第１の体性感覚とは異なる第２の体性感覚を生じさせる刺激を起こすことを特徴とする。
【発明の効果】
【００１１】
本発明によれば、どの通知イベントが発生したのかをユーザーに判別させることができる。
【図面の簡単な説明】
【００１２】
【図１】本実施形態に係る情報通知装置の一例を示す概念図である。
【図２】本実施形態に係る情報通知装置の構成の一例を示す概略ブロック図である。
【図３】本発明の第１乃至３の実施形態に係る通知イベントに対応付けられた刺激パターンのリストの一例を示す図である。
【図４】本実施形態に係る情報通知装置の動作の一例を示すフローチャートである。
【図５】本発明の第４の実施形態に係る通知イベントに対応付けられた刺激パターンのリストの一例を示す図である。
【図６】本発明の第４の実施形態に係る情報通知装置の一例を示す概念図である。
【図７】本発明の第５の実施形態に係る情報通知装置の一例を示す概念図である。
【発明を実施するための形態】
【００１３】
（第１の実施形態）
以下、図面を参照しながら本発明の第１の実施形態について説明する。
本願明細書で説明をする情報通知装置は、スマートフォン、携帯電話、タブレット端末、携帯ゲーム機、モバイルルーター、ウェアラブル端末、等である。
図１（Ａ）は、本実施形態に係る情報通知装置の一例であるスマートフォン１の概略を示す正面図である。スマートフォン１は薄型の矩形状の筐体を有し、その正面の大部分をタッチパネルから成る画面２とか、電源スイッチ３とかを含んで構成される。図１（Ａ）において、画面２には、Ｍ個のアプリケーション１０−１、１０−２、・・・、１０−Ｍの内の１０−５のアプリケーションが起動中であるとの「アプリケーション１０−５」との表示が成されている。
図１（Ｂ）は、スマートフォン１の内部の概略図であり、スマートフォン１（Ｂ）の内部には、Ｎ個の体性感覚発生部４０−１、４０−２、・・・、４０−Ｎを含む通知部４０が少なくとも含まれている。
図１（Ｃ）は、スマートフォン１をユーザーの右手で把持し、その際にユーザーの手のひらがスマートフォン１の通知部４０を覆うようにしてスマートフォン１に接触している様子を示す。
【００１４】
なお、図１（Ａ）では、「アプリケーション１０−５」という記述が表示されているが、これはアプリケーション１０−５だけが起動中であり、その他のアプリケーション１０−１〜１０−４、及び１０−６〜１０−Ｍは起動していないことを示している。
【００１５】
アプリケーション１０−ｍ（ｍ＝１、２、・・・、Ｍ）は、情報通知端末のユーザーに対して、それぞれ何らかの通知をするイベントが発生するアプリケーションである。アプリケーション１０−ｍ（ｍ＝１、２、・・・、Ｍ）は、通話機能、電子メールソフト、ＴｏＤｏリストアプリ、体感型レーシングゲーム、等である。また、当該アプリケーションが発生する通知イベントは、それぞれ、電話着信通知、メール着信通知、タスク開始予定時間になったことの通知、ゲーム内のレーシングカーが走行中に側壁に接触したことの通知、等である。
【００１６】
図１（Ｂ）において、体性感覚発生部４０−ｎ（ｎ＝１、２、・・・、Ｎ）は、スマートフォン１を身に着けているユーザーに通知するための、体性感覚を生じさせる刺激を起こす。体性感覚発生部４０−ｎは、例えば、小型の振動モーターによる振動の刺激、圧力発生装置（例えば家庭用血圧計の腕帯（カフ）のような空気圧発生装置を小型化したもの）の圧力による刺激、超小型電気ヒーターによる熱による刺激、により刺激をユーザーに起こすことができる。なお、体性感覚には、「触覚」、「圧覚」、「痛覚」、「温度覚」、「振動覚」等が含まれるところの、人間が持っている感覚の１つである。（体性感覚発生部４０−１〜４０−Ｎは、全て同じ体性感覚を生じさせるものであってもよいし、それぞれ異なる体性感覚を生じさせるものであってもよい。
【００１７】
スマートフォン１上で起動中のアプリケーション１０−ｍにおいて通知イベントが発生すると、当該通知イベントに対応する体性感覚発生部４０−ｎが刺激を起こす。例えば、アプリケーション１０−１で発生した通知イベントに対しては体性感覚発生部４０−３が、アプリケーション１０−５で発生した通知イベントに対しては体性感覚発生部４０−５が刺激を起こす。このように、体性感覚を生じさせる刺激の違いによって、または体性感覚を生じさせる部位の違いによって、当該通知イベントがどのアプリケーションから発生した通知イベントであるかを、ユーザーは判別することができる。
【００１８】
図２は、本実施形態に係るスマートフォン１の構成の一例を示す概略ブロック図である。スマートフォン１は、Ｍ個のアプリケーション１０−１、１０−２、・・・、１０−Ｍと、管理部２０１と、刺激パターン記憶部３０１と、Ｎ個の体性感覚発生部４０−１、４０−２、・・・、４０−Ｎを含む通知部４０と、を含んで構成される。
【００１９】
アプリケーション１０−ｍ（ｍ＝１、２、・・・、Ｍ）は、通知イベントを発生する。そして、アプリケーション１０−ｍは、発生した通知イベントを示す通知イベントＩＤを管理部２０１に出力する。管理部２０１は、通知イベントＩＤを検索キーとして、刺激パターン記憶部３０１に格納された刺激のパターン（刺激パターンとも称する）のリストを検索する。
【００２０】
刺激パターン記憶部３０１は、通知イベントＩＤと刺激パターンとが対応付けられたリストを記憶している。管理部２０１は、通知イベントＩＤに対応付けられた刺激パターンを抽出する。
【００２１】
管理部２０１は、抽出した刺激パターンに基づいて、当該刺激パターンが示す体性感覚発生部４０−ｎ（ｎ＝１、２、・・・、Ｎ）に対し、当該刺激パターンが示す体性感覚を生じさせる刺激を起こすための命令を出力する。
体性感覚発生部４０−ｎは、当該命令に従って、体性感覚を生じさせる刺激を起こす。
【００２２】
図３は、通知イベントに対応付けられた刺激パターンのリストの一例を示す図である。図３の刺激パターンのリストは、本発明の第１乃至３の実施形態に共通である。図示するように、当該リストは、＜通知イベントＩＤ＞、＜刺激パターン＞の各項目の列を有している。＜刺激パターン＞の項目には、＜体性感覚発生部＞、＜刺激の種類＞、＜刺激の強さ＞、＜刺激のタイミング＞の項目が含まれている。当該リストは、＜通知イベントＩＤ＞に対応する＜刺激パターン＞が格納される、行と列からなる２次元の表形式のデータである。
【００２３】
なお、本発明の実施形態における刺激パターンとは、どの体性感覚発生部が、どの体性感覚を生じさせる刺激を、どれくらいの強さで、どのようなタイミングで発生させるのか、等を対応付けて定義したものである。刺激パターンとは、例えば、図３の各行に相当するものである。例えば、同図における通知イベントＩＤ「ＥＶＥＮＴ００００１」には、体性感覚発生部「４０−５」が、刺激の種類「振動」を、刺激の強さ「強」で、刺激のタイミング「１１１０１１１０１１１１１１１」のように発生させる、という刺激パターンが定義づけられている。
【００２４】
また、刺激のタイミング「１１１０１１１０１１１１１１１」の各「１」と「０」は、それぞれ刺激の「オン（発生）」と「オフ（休止）」を示している。例えば、１つの「１」及び「０」がそれぞれ０．５秒間に相当するならば、「１１１０１１１０１１１１１１１」は、まず０．５秒間の刺激発生を続けて３回発生させた後、０．５秒間の刺激休止、再び０．５秒間の刺激を続けて３回発生、再び０．５秒間の刺激休止、再び０．５秒間の刺激を続けて７回発生させるということを意味する。すなわち、刺激のタイミングの項目に格納された情報が「１１１０１１１０１１１１１１１」であるならば、三三七拍子のタイミングで体性感覚を生じさせる刺激を起こすことを意味している。この三三七拍子のタイミングのような刺激でもって異なる体性感覚をさらに識別することができる。
【００２５】
［情報通知装置の動作］
次に、この情報通知装置の動作について説明する。図４は、本実施形態に係る情報通知装置の動作の一例を示すフローチャートである。
【００２６】
（ステップＳ１０１）まずアプリケーションにおいて、通知イベントが発生する。ステップＳ１０２に進む。
【００２７】
（ステップＳ１０２）アプリケーションは、どの通知イベントが発生したかを管理部に伝える。ステップＳ１０３に進む。
【００２８】
（ステップＳ１０３）管理部は、伝えられた通知イベントに基づいて、刺激パターン記憶部を検索し、当該通知イベントに対応する刺激パターンを抽出する。ステップＳ１０４に進む。
【００２９】
（ステップＳ１０４）管理部は、抽出した刺激パターンに基づいて、当該刺激パターンが示す体性感覚発生部に対し、体性感覚を生じさせる刺激を起こすための命令をする。ステップＳ１０５に進む。
【００３０】
（ステップＳ１０５）体性感覚発生部は、管理部からの命令に従って、体性感覚を生じさせる刺激を起こす。以上で処理を終了する。
【００３１】
以上、説明したように、第１の実施形態によれば、情報通知装置１は通知イベント毎に、それぞれ異なる体性感覚発生部に刺激を起こす。それによって、情報通知装置１は、どの通知イベントが発生したのかをユーザーに判別させることができる。
【００３２】
（第２の実施形態）
以下、図面を参照しながら本発明の第２の実施形態について説明する。上記第１の実施形態では、情報通知装置１が通知イベント毎に、それぞれ異なる体性感覚発生部に体性感覚を生じさせる刺激を起こす場合について説明した。第２の実施形態では、情報通知装置１がイベント毎に、それぞれ異なる体性感覚発生部に、かつ、それぞれ異なる強さ及びタイミングで体性感覚を生じさせる刺激を起こす場合について説明をする。
【００３３】
第１の実施形態と同様に、図３の刺激パターンのリストを用いて説明する。
図示するように、当該リストは、＜通知イベントＩＤ＞、＜刺激パターン＞の各項目の列を有している。＜刺激パターン＞の項目には、＜体性感覚発生部＞、＜刺激の強さ＞、＜刺激のタイミング＞、等の項目が含まれている。
例えば、通知イベントＩＤ「ＥＶＥＮＴ００００１」には体性感覚発生部「４０−５」が、刺激の強さには「強」が、刺激のタイミングには「１１１０１１１０１１１１１１１」が対応付けられている。
【００３４】
［情報通知装置の動作］
第１の実施形態と同様に、図４のフローチャートを用いて、第２の実施形態に係る情報通知装置の動作の一例を説明する。但し、第１の実施形態と異なる点は、フローチャートの、ステップＳ１０４ａのみであるため、その他のステップについては説明を省略する。
【００３５】
（ステップＳ１０４ａ）管理部は、抽出した刺激パターンに基づいて、当該刺激パターンが示す体性感覚発生部に対し、当該刺激パターンが示す刺激の強さ及びタイミングで、体性感覚を生じさせる刺激を起こすための命令を発する。ステップＳ１０５に進む。
【００３６】
以上、説明したように、第２の実施形態によれば、情報通知装置１は通知イベント毎に、それぞれ異なる体性感覚発生部に刺激を起こす。また、情報通知装置１は通知イベント毎に、それぞれ異なる刺激の強さ及びタイミングで体性感覚発生部に刺激を起こす。それによって、情報通知装置１は、どの通知イベントが発生したのかをユーザーに判別させることができる。
【００３７】
（第３の実施形態）
以下、図面を参照しながら本発明の第３の実施形態について説明する。
第３の実施形態では、情報通知装置１がイベント毎に、それぞれ異なる体性感覚発生部に、かつ異なる体性感覚を生じさせる刺激を起こす場合について説明をする。
【００３８】
第１、第２の実施形態と同様に、図３の刺激パターンのリストを用いて説明する。
図示するように、当該リストは、＜通知イベントＩＤ＞、＜刺激パターン＞の各項目の列を有している。＜刺激パターン＞の項目には、＜体性感覚発生部＞、＜刺激の種類＞、＜刺激の強さ＞、等の項目が含まれている。
【００３９】
例えば、通知イベントＩＤ「ＥＶＥＮＴ００００２」には体性感覚発生部「４０−２」及び刺激の種類「圧力」及び刺激の強さには「強」が対応付けられている。また、例えば、通知イベントＩＤ「ＥＶＥＮＴ００００７」には体性感覚発生部「４０−４」及び刺激の種類「圧力」及び刺激の強さには「弱」が対応付けられている。すなわち、「ＥＶＥＮＴ００００２」によって起こされる刺激は、情報通知端末１の中央部から強い圧力を与える刺激（叩かれたような刺激だとする）である。一方、「ＥＶＥＮＴ００００７」によって起こされる刺激は、情報通知端末１の端部から弱い圧力を与える刺激（撫でられたような刺激だとする）であることを意味している。このような圧力の強弱は、例えば空気圧発生装置の動作を制御するとか、圧力の強弱に対応する複数の空気圧発生装置を用意することで実現することができる。
【００４０】
例えば、電子メールのアプリケーション（メーラー）において、好きな人からの電子メールの受信に対しては通知イベントＩＤ「ＥＶＥＮＴ００００７」に該当する通知イベントを発生させることで、撫でるような刺激をユーザーに与えるようにする。一方、嫌いな人からの電子メールの受信に対しては通知イベントＩＤ「ＥＶＥＮＴ００００２」に該当する通知イベントを発生させることで、叩くような刺激をユーザーに与えるようにする、といった実施例も考えられる。
【００４１】
［情報通知装置の動作］
第１の実施形態と同様に、図４のフローチャートを用いて、第３の実施形態に係る情報通知装置の動作の一例を説明する。但し、第１の実施形態と異なる点は、フローチャートの、ステップＳ１０４ｂのみであるため、その他のステップについては説明を省略する。
【００４２】
（ステップＳ１０４ｂ）管理部は、抽出した刺激パターンに基づいて、当該刺激パターンが示す体性感覚発生部に対し、当該刺激パターンが示す刺激の種類及び強さで、体性感覚を生じさせる刺激を起こすための命令をする。ステップＳ１０５に進む。
【００４３】
以上、説明したように、第３の実施形態によれば、情報通知装置１は通知イベント毎に、それぞれ異なる体性感覚発生部に刺激を起こす。また、情報通知装置１は通知イベント毎に、それぞれ異なる刺激の種類及び強さで体性感覚発生部に刺激を起こす。それによって、情報通知装置１は、どの通知イベントが発生したのかをユーザーに判別させることができる。
【００４４】
（第４の実施形態）
以下、図面を参照しながら本発明の第４の実施形態について説明する。
第４の実施形態では、情報通知装置１がイベント毎に、それぞれ異なる複数の体性感覚発生部に、かつ異なる刺激パターンを複数組み合わせて、体性感覚を生じさせる刺激を起こす場合について説明をする。
【００４５】
図５は、本発明の第４の実施形態に係る通知イベントに対応付けられた刺激パターンのリストの一例を示す図である。
図示するように、当該リストは、＜通知イベントＩＤ＞、＜刺激パターンＡ＞、＜刺激パターンＢ＞・・・の各項目の列を有している。各刺激パターンの項目には、＜体性感覚発生部＞、＜刺激の種類＞、＜刺激の強さ＞、＜刺激のタイミング＞、等の項目が含まれている。当該リストは、＜通知イベントＩＤ＞毎に対応する複数の刺激パターンが格納される、行と列からなる２次元の表形式のデータである。
【００４６】
例えば、通知イベントＩＤ「ＥＶＥＮＴ００００１」には＜刺激パターンＡ＞及び＜刺激パターンＢ＞が対応付けられている。また、＜刺激パターンＡ＞に含まれる項目＜体性感覚発生部＞、＜刺激の種類＞、＜刺激の強さ＞、＜刺激のタイミング＞には、それぞれ「４０−５」、「振動」、「強」、「１１１０１１１０１１１１１１１」が格納されている。同様に、＜刺激パターンＢ＞に含まれる項目＜体性感覚発生部＞、＜刺激の種類＞、＜刺激の強さ＞、＜刺激のタイミング＞には、それぞれ「４０−２」、「圧力」、「強」、「０００１０００１０００００００」が格納されている。
【００４７】
＜刺激パターンＡ＞が起こす刺激のタイミング「１１１０１１１０１１１１１１１」は、前述のとおり、三三七拍子のタイミングで振動を起こすことを示す。一方、＜刺激パターンＢ＞が起こす刺激のタイミング「０００１０００１０００００００」は、＜刺激パターンＡ＞とは「１」と「０」の並びがちょうど逆になっている。つまり、三三七拍子の休止（オフ）になる拍子のタイミングで、圧力による刺激を起こすことを示す。
【００４８】
すなわち、通知イベントＩＤ「ＥＶＥＮＴ００００１」を示す通知イベントが発生した際に、情報通知装置１が起こす体性感覚を生じさせる刺激は、三三七拍子のオンの拍子のタイミングでは振動による刺激を起こし、オフの拍子のタイミングでは圧力による刺激を起こすことを意味している。したがって、図５に示す刺激パターンのリストは、刺激パターンを２種類以上組み合わせて、体性感覚を生じさせる刺激を起こす実施形態の一例を示している。
【００４９】
図６は、本発明の第４の実施形態に係る情報通知装置１の一例を示す概念図である。図示するように、スマートフォン１ａは、その内部に格子状に並べて複数配置された体性感覚発生部４０−１〜４０−Ｎを備える。情報通知装置１は、イベント毎に、それぞれ複数の刺激パターンを組合せて刺激を起こすことによって、様々な体性感覚を生じさせる刺激を作り出すことができる。
【００５０】
例えば、情報処理端末１は、当該情報通知端末の左端部の体性感覚発生部４０−ｎ（ｎ＝１、２、・・・、Ｎ）から右端部の体性感覚発生部４０−ｎへ向かって、順にタイミングをずらして刺激を起こしていく。それによって、情報処理端末１は、ユーザーに対し、体性感覚を生じさせる刺激が左から右へ動いていくように感じさせる刺激パターンの組合せを作ることができる。
【００５１】
同様に、他の実施例として、情報処理端末１は、隣り合う体性感覚発生部４０−ｎの刺激の強さを交互に「強」「弱」「強」「弱」・・・と並べ、ある特定のタイミング毎に、「強」と「弱」とを入れ替えることを繰り返す。それによって、情報処理端末１は、ユーザーに対し、体性感覚を生じさせる刺激が波打っているように感じさせる刺激パターンの組合せを作ることができる。
【００５２】
［情報通知装置の動作］
第１の実施形態と同様に、図４のフローチャートを用いて、第５の実施形態に係る情報通知装置の動作の一例を説明する。但し、第１の実施形態と異なる点は、フローチャートの、ステップＳ１０４ｃのみであるため、その他のステップについては説明を省略する。
【００５３】
（ステップＳ１０４ｃ）管理部は、抽出した刺激パターンに基づいて、当該刺激パターンが示す複数の体性感覚発生部に対し、当該複数の刺激パターン（刺激の種類、強さ、タイミング）の組合せに基づいて、体性感覚を生じさせる刺激を起こすよう命令する。ステップＳ１０５に進む。
【００５４】
以上、説明したように、第４の実施形態によれば、情報通知装置１は通知イベント毎に、それぞれ異なる体性感覚発生部に刺激を起こす。また、情報通知装置１は通知イベント毎に、それぞれ異なる複数の刺激パターンを組合せて体性感覚を生じさせる刺激を起こす。それによって情報通知装置１は、どの通知イベントが発生したのかをユーザーに判別させることができる。
【００５５】
（第５の実施形態）
以下、図面を参照しながら本発明の第５の実施形態について説明する。図７は、本発明の第５の実施形態に係る情報通知装置１の一例を示す概念図である。
図示するように、本実施形態に係る情報通知端末は、リストバンド形のように、身に着けて使用する形態のウェアラブル端末１ｂであってもよい。
図７（Ａ）に示すように、通信機能を備えるウェアラブル端末１ｂは、ユーザーの例えば右手の手首に装着されて、同一ユーザーが把持するなどして身に着けている例えばスマートフォン１ｃと近接通信方法（ブルートゥース）とか無線ＬＡＮにより通信を行うことができる。スマートフォン１ｃのプログラム（例えば、ゲームのプログラム）で発生したイベント（ｅｖｅｎｔ）の情報は通信回線（例えばブルートゥース）によりリストバンドに伝送されて、リストバンドの体性感覚発生部で刺激を発生せしめる。図７（Ｂ）に示すように、ウェアラブル端末１ｂは閉じた円環状の帯の形態を有し、その内部には間隔を置いて、好ましくは等間隔にＮ個の体性感覚発生部４０−１、４０−２、・・・、４０−Ｎを含む通知部４０が備えられている。この通知部４０は、第１ないし第４の実施形態のものと同一のものを適宜変更して用いることができるので、その説明を省略する。
【００５６】
また、情報通知端末は顔面に装着するサングラス形であってもよく、その場合は、通知部４０は、サングラスの頭部に接するテンプル（つる）の部分の内部に設けられることができる。
なお、ウェアラブル端末１ｂとスマートフォン１ｃの機能を合体させて、ウェアラブル端末１ｂに携帯電話の機能をも持たせてもよい。
【００５７】
以上、図面を参照して本発明の実施形態について詳しく説明してきたが、具体的な構成は上述のものに限られることはなく、この発明の要旨を逸脱しない範囲内において様々な設計変更等をすることが可能である。
【符号の説明】
【００５８】
情報通知装置・・・１、スマートフォン・・・１ａ，１ｃ、ウェアラブル端末・・・１ｂ、アプリケーション・・・１０−１〜１０−Ｍ、管理部・・・２０１、刺激パターン記憶部・・・３０１、通知部・・・４０、体性感覚発生部・・・４０−１〜４０−Ｎ
【図１】
2016085610.tif 000003
【図２】
2016085610.tif 000004
【図３】
2016085610.tif 000005
【図４】
2016085610.tif 000006
【図５】
2016085610.tif 000007
【図６】
2016085610.tif 000008
【図７】
2016085610.tif 000009